(57)【要約】【課題】運搬時や保管時に分解できて、中央部にたき火台やバーベキュー用コンロ等を配置するための開口を有し、安定性に優れる構造を実現する。【解決手段】第１天板１０と、第１天板１０の長さ方向両側面から長さ方向外方に突出した状態で設けられた、１対の腕部１１とを有する、１対の第１テーブル片７と、第２天板１２と、第２天板１２の長さ方向両端部に設けられ、前記腕部１１の１つを水平に受け入れて支持する、１対の支持部１３とを有する、１対の第２テーブル片８と、２個以上の脚部９と、を備え、テーブル面４ａの中央部に開口５ａを有するように、矩形状に組み立てられる。【選択図】図１
2013056129.tif 000002
【特許請求の範囲】
【請求項１】
第１天板と、第１天板の長さ方向両側面から長さ方向外方に突出した状態で設けられた、１対の腕部とをそれぞれ有する、１対の第１テーブル片と、
第２天板と、第２天板の長さ方向両端部に設けられ、前記腕部の１つを水平に受け入れて支持する、１対の支持部とをそれぞれ有する、１対の第２テーブル片と、
２個以上の脚部と、
を備え、テーブル面の中央部に開口を有するように、矩形状に組み立てられる、バーベキュー用テーブル。
【請求項２】
第２テーブル片が、前記支持部が前記腕部を支持した状態で、該腕部が前記支持部から抜け出ることを防止する状態と、該腕部が前記支持部から抜け出ることを可能とする状態とを切り替えることができる留め具を備える、請求項１に記載のバーベキュー用テーブル。
【請求項３】
少なくとも腕部のそれぞれが、金属製のロッドを曲げ成形することにより設けられている、請求項１〜２のうちのいずれか１項に記載のバーベキュー用テーブル。
【請求項４】
脚部のそれぞれが、第１ないし第２テーブル片の一部に折り畳み可能な状態で設けられている、請求項１〜３のうちのいずれか１項に記載のバーベキュー用テーブル。
【発明の詳細な説明】
【技術分野】
【０００１】
本発明は、特に、屋外でたき火台やコンロ周りに配置して使用される、中央部に開口を有する組立式テーブルに関する。
【背景技術】
【０００２】
屋外でのキャンプでは、通常、コンロなどで料理を用意し、コンロの近傍ではあるが別の場所に配置したテーブルにその料理を移動させた上で食事がとられている。ただし、このような屋外の食事において、コンロを囲んで、調理をしながら食事を行うことも要望されている。このような要望に応えつつ、屋外での利用を考慮し、運搬性および収納性に優れた、コンロ用テーブルが、従来から提案されている。
【０００３】
図５は、このうち特許文献１に記載され、中央部に開口を設け、この開口内にバーベキュー用コンロを配置でき、かつ、運搬時や保管時に分解して折り畳むことができる構造のコンロ用テーブルを示している。このコンロ用テーブルは、金属フレームと樹脂製の平板からそれぞれなる１対の天板１、１を蝶番２により折り畳み可能に結合し、テーブルの使用時（組立時）には、これらの天板１、１のうち、互いに対向する接触面である、折り畳み縁３、３同士を押し付けてテーブル面４を形成する。そして、テーブル面４の中央部に開口５を設け、この開口５を閉塞板６により塞いでいる。使用時には、閉塞板６を吊り下げ、バーベキュー用コンロを配置する。
【０００４】
しかしながら、この構造は、バーベキュー用コンロなどの重量の嵩む物を配置した場合でも、不安定とならないように、頑丈な脚構造の上に、所定の強度を有する天板１、１によってテーブル面４を構成している。このため、ある程度の重量を有することから携帯しづらかったり、所定の大きさを有する天板を備え、かつ、二つ折り構造であることから、折り畳み後も相当程度の大きさとなり、運搬時にかさばったりするなどの問題がある。この結果、この構造のコンロ用テーブルを気軽に使用することができない可能性がある。
【０００５】
近年、ファイヤープレイスと呼ばれるたき火台がキャンプなどで使用されるようになっており、これらのたき火台をコンロに代替して使用する場合がある。この場合、たき火台自体は地面に直接配置され、テーブルに懸下する必要はない。しかしながら、たき火台での燃焼はコンロよりも火炎が強いため、テーブル構造としては、たき火台近傍での使用に耐えられるように、樹脂を用いず、すべてが金属製であって、かつ、耐火性および耐熱性がある構造とすることが要求される。
【０００６】
このような構造として、特許文献２に開示されたコンロ用テーブルが存在する。この構造では、テーブル面の中央部に開口を設け、この開口にコンロを懸下するための閉塞板を省略するとともに、天板を金属メッシュ構造とすることで、樹脂製の平板を使用せずに、簡易かつ軽量な構造を実現している。これにより、たき火台周りで、料理の載った皿や飲料用のコップなどを置くことができる、簡易な構造のテーブルが実現されている。この構造も、基本的には、図５に示した構造と同様の二つ折り構造となっている。しかしながら、この構造の場合、図５に示した構造と比較してきわめて簡易な構造であることから、テーブル面に物を置いた場合に不安定となる可能性がある。すなわち、折り畳み縁を中心として、このテーブル面の左右外側縁寄り部分に、片寄って料理を載置した皿を配置したり、料理を取るために、この部分にユーザが荷重をかけたりした場合、この重量ないしは荷重によって、天板同士を折り畳む方向の力が加わる。この結果、これらの天板が、左右方向外側が下方となる方向に傾斜して、テーブル面上の物が落下する可能性がある。一方、折り畳み縁の近傍で同様にある程度の重量や荷重がかかると、天板同士を折り畳む時とは逆方向の力が加わり、折り畳み縁にこの力が集中する。この構造では天板の厚さが薄く、折り畳み縁同士を押し付けることにより支承できる力が小さいため、テーブル面の左右方向中間部が窪み、テーブル面が折り畳み縁を中心にＶ字形となって、両方の天板を連結する蝶番が破損する可能性もある。
【０００７】
これに対して、非特許文献１には、特許文献２と同様に、たき火台やコンロ周りに配置でき、かつ、ある程度の強度を確保した構造のたき火台用テーブルが開示されている。この構造は、全体がＬ字形のフレームと、メッシュ構造の天板部と、それぞれが１つの折り畳み脚構造を備えた４つの天板要素を有し、これらの天板要素を、フック式留め金で、全体が中央部に開口を有する矩形形状となるように相互に固定するようになっている。しかしながら、この構造では、剛性を確保するために、フレームが所定の厚みを有しており、折り畳み時に４つの天板要素を並列配置した場合には、厚さが４枚分の厚さとなり、かなりかさばる。また、折り畳み時の天板要素はＬ字状であり、厚さだけでなく、幅方向および高さ方向にもかさばることになり、収納性に劣るといえる。一方、天板を厚さが薄い構造にした場合、天板要素がフック式留め金のみで実質的に支承されることとなり、特許文献2と同様に強度および安定性に問題が生ずる。
【先行技術文献】
【特許文献】
【０００８】
【特許文献１】特開平９−１０８０４０号公報
【特許文献２】意匠登録第１０７１４５３号公報
【非特許文献】
【０００９】
【非特許文献１】ロゴス社ホームページ、囲炉裏テーブルＦＤ、http://www.logos-co.com/products/info/81063117
【発明の概要】
【発明が解決しようとする課題】
【００１０】
本発明は、上述のような事情に鑑み、中央部にたき火台やバーベキュー用コンロを配置でき、かつ、簡易な構造でありながら、安定性に優れる、組立式テーブルを提供することを目的としている。
【課題を解決するための手段】
【００１１】
本発明の組立式テーブルは、
第１天板と、第１天板の長さ方向両側面から長さ方向外方に突出した状態で設けられた、１対の腕部とをそれぞれ有する、１対の第１テーブル片と、
第２天板と、第２天板の長さ方向両端部に設けられ、前記腕部の１つを水平に受け入れて支持する、１対の支持部とをそれぞれ有する、１対の第２テーブル片と、
２個以上の脚部と、を備える。
【００１２】
組立時には、第１テーブル片のそれぞれの両端にある前記腕部を、第２テーブル片のそれぞれの両端にある前記支持部に水平方向に挿入することより、テーブル面の中央部に開口を有するように、矩形状に組み立てられる。なお、組立後のテーブル構造を支持できる限り、脚部の数や構造は制限されないが、脚部のそれぞれが第１ないし第２テーブル片の一部に折り畳み可能な状態で設けられていることが好ましく、脚部が第２テーブル片のそれぞれの両端部下面に折り畳み可能に、合計で４個、取り付けられていることがさらに好ましい。
【００１３】
第２テーブル片は、前記支持部が前記腕部を支持した状態で、該腕部が前記支持部から抜け出ることを防止する状態と、該腕部が前記支持部から抜け出ることを可能にする状態とを切り替える留め具を備えることが好ましい。なお、この留め具は、前記腕部が前記支持部に挿入された状態で、該腕部の挿脱方向への変位も阻止するようにすることが好ましい。
【００１４】
また、少なくとも腕部のそれぞれを、金属製のロッドを曲げ成形することにより設けることが好ましい。好ましくは、腕部は、略Ｕ字形とし、Ｕ字形の先端部を天板側に固定し、Ｕ字形の基部を外端部として、一方、前記支持部をこのＵ字形の腕部を水平方向に受け入れ、この腕部が支持部に、がたつくことなく支持される構造とする。該支持部は、好ましくは、２つの金属製のロッドを同様に曲げ成形することで略Ｕ字形とし、先端部を第２天板の長さ方向両端部で、幅方向両端部のそれぞれの下側面に固定される１対の支持用梁により構成し、それぞれの端部で２つの支持用梁の内側に、前記腕部のそれぞれを受け入れるようにすることが好ましい。
【発明の効果】
【００１５】
上述のように構成する本発明の組立式テーブルによれば、中央部にたき火台やバーベキュー用コンロを配置できる、簡易かつ安定性に優れた構造を実現できる。すなわち、本発明の組立式テーブルは、第１テーブル片の長さ方向両端部に設けた腕部を、第２テーブル片に設けた支持部により水平に受け入れて支持することで、中央部に開口を有するテーブル面を形成している。このため、簡易な構造でありながら、前述した従来構造のように、１対の天板の折り畳み縁同士を押し付けることによりテーブル面を形成する場合と比較して、重量のかさむ物品を配置する位置に拘わらず、テーブル面が傾いたり、折り畳み縁同士に過度に大きな力が加わったりすることを防止でき、テーブル面を安定させる（地面に対して水平に保つ）ことができる。
【００１６】
使用時に、前記腕部が第２テーブル片の支持部から抜け出ることを防止する構造では、テーブル面をより安定させることができる。
【００１７】
前記腕部を金属製のロッドを曲げ形成することにより設ければ、腕部を設けることで組立式テーブルの重量が過度に重くなることを防止できる。
【００１８】
また、脚部を第１ないし第２テーブル片、特に第２テーブル片の一部に折り畳み可能に設ければ、組立式テーブルを、１対の第１テーブル片と１対の第２テーブル片との４つの部材に分解することができて、携帯性および収納性を確保できる。
【図面の簡単な説明】
【００１９】
【図１】図１は、本発明の実施の形態の１例を示す、平面図（Ａ）、正面図（Ｂ）および側面図（Ｃ）である。
【図２】図２は、図１に示した１例について、組み立て途中の状態を示す図１（Ａ）と同様の図である。
【図３】図３は、図１に示した１例について、第１テーブル片と第２テーブル片との結合端部を下方から見た状態で示す斜視図である。
【図４】図４は、図１に示した１例について、展開した状態の脚部を下方から見た状態で示す部分底面図である。
【図５】従来構造の１例を示す斜視図である。
【発明を実施するための形態】
【００２０】
［実施の形態の１例］
図１〜４は、本発明の実施の形態の１例を示している。本例の組立式テーブルは、テーブル面４ａの中央部に、たき火台やバーベキュー用コンロを配置するための開口５ａを有し、それぞれがステンレス鋼などの金属製である、１対の第１テーブル片７、７と、１対の第２テーブル片８、８と、４つの脚部９、９とを備える。このうちの第１テーブル片７は、第１天板１０と、この第１天板１０の長さ方向両側面から、長さ方向外方（水平方向）に突出した状態で設けられた１対の腕部１１、１１とから構成される。
【００２１】
第１天板１０は、平板部と、この平板部から全周にわたり下方に向かって垂直に折り曲げられた側面部とからなり、平板部は、表面に複数の穿孔を設けることでパーフォレーション構造としている。腕部１１は、金属製のロッドを曲げ成形することで略Ｕ字形とし、その両方の先端部を第１天板１０に溶接などにより固定して設けている。ただし、金属製のロッドを曲げ成形することにより、長さ方向全体に伸長する矩形状のフレームを構成し、その上に、フレームの両端部が腕部１１、１１として長さ方向外方に突出するように、第１天板１０を溶接などにより固定して、第１テーブル片７を構成してもよい。後者の場合、側面部の省略により、第１天板１０をさらに薄くしたり、平板部をメッシュ構造としたりした場合でも、第１テーブル片７の強度を確保できる。腕部１１の長さ方向の寸法Ｌ11は、第２テーブル片８を構成する第２天板１２の幅方向の寸法Ｗ12とほぼ同じ（Ｌ11≒Ｗ12）としている。
【００２２】
また、第２テーブル片８は、第２天板１２と、この第２天板１２の長さ方向両端部に設けられ、組立式テーブルを組み立てた状態で、一方の第１テーブル片８および他方の第１テーブル片８の一方の腕部１１、１１をそれぞれ支持する、支持部１３、１３とにより構成される。このうちの支持部１３は、金属製のロッドを曲げ成形することで略Ｕ字形とした１対の支持用梁１４、１４の両方の先端部を、第２天板１２のうち、第２天板１２の長さ方向両端部で、同じく幅方向両端部であって、幅方向両側面よりはやや中心寄りの下側面に溶接することで、設けられている。したがって、１つの支持部１３を構成する支持用梁１４、１４同士の距離は、第２天板１２の幅方向の寸法Ｗ12よりわずかに短くなっている。また、この第２天板１２の長さ方向両端部で、使用時にテーブルの外側となる幅方向外端寄り部分で、支持用梁１４の内側（幅方向中心寄り部分）に留め具１５を設けている。この留め具１５も金属製であり、回動可能に第２天板１２の下側面に結合固定されており、通常は、支持用梁１４を超えて下方に伸長する（垂下している）が、回転させることにより、第２天板１２の下側面で、支持用梁１４よりも上方位置に退避できるように構成されている。
【００２３】
なお、支持部１３、１３を、第２天板１２の長さ方向両端部で、同じく幅方向両側面に設けた透孔もしくは切り欠きとすることもできる。ただし、このような場合は、腕部１１の長さ方向の寸法を、第２天板１２の幅方向の寸法よりも長くする必要がある。
【００２４】
また、脚部９、９はそれぞれ、第２天板１２、１２のそれぞれの長さ方向両端寄り部分に折り畳み可能に支持されている。すなわち、金属製のロッドを曲げ成形して略Ｕ字形とした第１部材１６の両先端部に設けた枢軸１７、１７を、第２天板１２の下側面に回動可能に支持固定している。そして、金属製のロッドを曲げ成形して略Ｕ字形とした第２部材１８の両先端部を、第１部材１６の中間部に設けた中間軸１９に回動可能に支持している。組立式テーブルの使用時には、第２部材１８の基端部を、第２天板１２の下側面に設けたラッチ型支持金具２０により支持することで、脚部９、９のそれぞれが組み立てられる。脚部の構造は上記のものに限定されず、たとえば、金属製のロッドを曲げ成形して略Ｕ字形とし、第２天板１２の長さ方向に伸長させて、両端部を第２天板の下面に回動可能に支持し、第２天板１２の幅方向に折り畳み可能とした構造、また、分離式の構造として、第２天板１２の長さ方向両端部の下側面と脚の上端部にそれぞれ係合可能なカセット構造を設けて、たとえば脚の上端部のカセットを第２天板１２の下側面に設けたカセットにスライドさせて固定する構造とすることもできる。
【００２５】
なお、第２テーブル片８についても、第１テーブル片７の場合と同様に、金属製のロッドを曲げ成形することにより、長さ方向全体に伸長する矩形状のフレームを形成し、その上に、第２天板１２を溶接などにより固定することで構成してもよい。その他の代替構造および効果については、第１天板１０の場合と同様である。また、留め具１５として、図３に示す構造のものに代替して、第２天板１２の下側面から下方に突出する板バネなどの構造を採ることもできる。
【００２６】
上述のような本例の組立式テーブルは、図２にその組み立て途中の状態を示すように、第１テーブル片７、７のそれぞれの一方（図２の左側）の腕部１１を、一方の第２テーブル片８の長さ方向両端部に設けられた１対の支持用梁１４、１４のそれぞれに水平方向に内側（図２の右側）から内嵌挿入する。この際、外端寄り（図２の左側）にある留め具１５を回動させる（支持用梁１４よりも上方位置に退避させる）ことにより、第１天板１０の長さ方向外端面と第２天板１２の幅方向内側面とが接触するまで、腕部１１の外端部（Ｕ字形の基部）を外端側の支持用梁１４内に挿入することが可能となる。挿入後、通常の配置状態ではそのままの状態で、一方、裏返しの状態で作業している場合には、通常の配置状態に戻すことで、留め具１５が自然に回動して、腕部１１の外端部が外端側の支持用梁１４から離脱しないようなっている。なお、図示した留め具１５の代わりに板バネを使用した場合、腕部１１の外端部がこの板バネを乗り越えて、外端側の支持用梁１４内に内嵌し、かつ、板バネにより抜け止めが図られる。なお、留め具１５に関しては、その他、腕部１１の外端部の外端側の支持用梁１４への挿入を可能とするともに、挿入後に支持用梁１４からの離脱が防止される構造の物であれば、その他のバネやラチェットなど公知の留め具も使用できる。
【００２７】
同様にして、第１テーブル片７、７のそれぞれの他方（図２の右側）の腕部１１を、他方の第２テーブル片８の長さ方向両端部に設けられた１対の支持用梁１４、１４のそれぞれに水平方向に内側（図２の左側）から内嵌挿入して、両テーブル片７、８を固定する。その後、脚部９、９を引き出して組み立てる。
【００２８】
なお、本例の組立式テーブルは、その大きさによって制限されることはないが、参考のために、その大きさを例示する。
第１天板の長さ：６５０ｍｍ、幅：１７０ｍｍ、厚さ：１６．５ｍｍ
第２天板の長さ：９９０ｍｍ、幅：１７０ｍｍ、厚さ：１６．５ｍｍ
組立時のテーブル高さ：２９０ｍｍ
腕部（もしくはフレーム）および脚部のロッドの径：６ｍｍ
【００２９】
上述のように構成される本例の組立式テーブルによれば、運搬時の携帯性や保管時の収納性に優れ、かつ、使用時の安定性を向上させることができる。すなわち、本例の組立式テーブルは、第１テーブル片７、７の腕部１１、１１を、第２テーブル片８、８の支持部１３、１３により支持し、折り畳み可能な脚部９、９を引き出すことにより組み立てられる。運搬時や保管時には、第１テーブル片７の腕部１１、１１と第２テーブル片８の支持部１３、１３との係合を外し、脚部９、９を折り畳むことにより、組立式テーブルをテーブル片７、８ごとに分解することができて、携帯性や収納性を確保できる。
【００３０】
特に、１対の腕部１１、１１を含んだ第１テーブル片７と、第２テーブル片８とは、同じ長さ、同じ幅であり、かつ、その厚さが薄いため、４つのテーブル片７、８をコンパクトかつ安定した収納状態とすることができる。ただし、第２テーブル片の長さを、第１テーブル片の長さよりも長くして、全体として正方形ではなく、長方形の形状としてもよい。
【００３１】
また、第２天板１２、１２の幅方向寸法と同様の長さを有する各腕部１１、１１と、それぞれに対応する２つの支持部１３、１３との係合によって、テーブル面４ａを形成しているので、このテーブル面４ａに配置した物品の重量による力が、従来構造のように天板同士を折り畳む方向や、これら両天板の折り畳み縁同士を過度に強く押し付けるように加わることを防止できる。すなわち、本例の場合、腕部１１の長さ寸法と第２天板１２の幅寸法とがほぼ同じであるため、第１天板１０上に配置された物の重量による力は、第１天板１０の長さ方向端面と第２天板１２の幅方向側面との接触のみならず、この第１天板１０の長さ方向両端部に設けられた、腕部１１、１１を介して、第２天板１２の幅方向両端部に支持固定された２つの支持用梁１４、１４にほぼ均等に支持される。そして、第２テーブル片８、８の長さ方向両端部にそれぞれ設けた脚部９、９により、この重量が支承される。また、第２天板１２、１２上に配置された物の重量による力も、各脚部９、９により支承される。
【００３２】
いずれにしても、本例の場合、簡易かつ軽量な構造でありながら、テーブル面４ａ上に配置された物の重量により、このテーブル面４ａを折り畳んだり、各天板１０、１２の接触面同士を押し付け合ったりする方向に過度に大きな力が作用することを防止でき、テーブル面４ａを安定させ、地面に対して水平に保つことができる。
【００３３】
さらに、本例の場合、腕部１１、１１を、金属製のロッドを曲げ成形することにより設けているため、腕部１１、１１を設けることにより、組立式テーブルの重量が過度に重くなることを防止できる。その他、基本となるフレーム構造すべてを金属製のロッドを曲げ成形することにより構成し、天板を薄い平板ないしはメッシュ構造とするなど、さらに軽量な構造を採ることも可能であり、その場合でも十分に強度を保持することができる。
【００３４】
さらに、各脚部９、９を折り畳み可能な状態で第２テーブル片８、８の長さ方向両端部にそれぞれ支持するとともに、各脚部９、９を構成するロッドの径を過度に大きくしなくても、テーブル全体を所定の強度で保持できるようにしているため、テーブルの機能を損なうことなく、かつ、組立式テーブルを分解した状態での収納性および携帯性を損なうことなく、部品点数を可能な限り少なく抑えることができる。ただし、部品点数は増えるが、脚部として、各天板の裏面に螺合ないしは折り畳み構造により取付固定される円柱状の脚、その他の構造の脚を用いることも可能である。
【符号の説明】
【００３５】
１    天板
２    蝶番
３    折り畳み縁
４、４ａ  テーブル面
５、５ａ  開口
６    閉塞板
７    第１テーブル片
８    第２テーブル片
９    脚部
１０    第１天板
１１    腕部
１２    第２天板
１３    支持部
１４    支持用梁
１５    留め具
１６    第１部材
１７    枢軸
１８    第２部材
１９    中間軸
２０    支持金具
【図１】
2013056129.tif 000003
【図２】
2013056129.tif 000004
【図３】
2013056129.tif 000005
【図４】
2013056129.tif 000006
【図５】
2013056129.tif 000007